(57)【要約】【課題】操作者の利便性を向上させることのできる画像形成装置を提供する。【解決手段】取得手段（原稿サイズ取得センサ５０１）で取得した原稿のサイズと、指定手段（用紙サイズ指定部５０３）で指定された記録媒体のサイズとを比較する比較手段（サイズ比較部５０４）と、該比較手段の比較結果に応じて、格納手段（画像記憶部５０２）に格納されている画像情報を加工する加工手段（画像加工部５０５）と、該加工手段で加工された画像情報に基づいて画像を指定手段で指定されたサイズの記録媒体上に形成する形成手段（画像形成部２０）とを備える。【選択図】図３
2012010120.tif 000002
【特許請求の範囲】
【請求項１】
原稿のサイズを取得する取得手段と、
前記原稿の画像情報を読み取る読取手段と、
該読取手段で読み取った画像情報を格納する格納手段と、
前記読取手段により読み取られた原稿の画像情報を形成する記録媒体のサイズを指定する指定手段と、
前記取得手段で取得した原稿のサイズと、前記指定手段で指定された記録媒体のサイズとを比較する比較手段と、
該比較手段の比較結果に応じて、前記格納手段に格納されている前記画像情報を加工する加工手段と、
該加工手段で加工された画像情報に基づいて画像を前記指定手段で指定されたサイズの記録媒体上に形成する形成手段と、
を備え、
前記加工手段は、
前記比較手段の比較結果に応じて、前記格納手段に格納されている前記画像情報から切り出す領域の起点を設定する設定手段と、
該設定手段で設定された起点から前記指定手段で指定されたサイズの記録媒体に対して、前記画像情報の当初の倍率を維持した状態で画像形成を行う領域分を切り出す切出手段と、
から構成されることを特徴とする。
【請求項２】
前記比較手段は、「取得された原稿のサイズ＞指定された記録媒体のサイズ」か否かを比較し、
前記設定手段は、前記比較手段で「取得された原稿のサイズ＞指定された記録媒体のサイズ」であると判定された場合には、前記起点を次式、
（原稿長−記録媒体長）×１／２
（原稿幅−記録媒体幅）×１／２
により算出することを特徴とする請求項１に記載の画像形成装置。
【請求項３】
前記指定手段は、予め設定される記録媒体に関する複数系列のサイズ群から選択してサイズを指定するように構成され、
前記比較手段は、取得された原稿のサイズまたは指定された記録媒体のサイズが、指定されたサイズまたは前記複数系列に含まれる他の系列の同サイズと一致するか否かを比較判定し、
前記加工手段は、前記比較手段の比較結果に応じて、前記格納手段に格納されている前記画像情報を加工することを特徴とする請求項１または請求項２の何れかに記載の画像形成装置。
【請求項４】
前記設定手段は、前記比較手段の比較結果に応じて、予め設定される左上隅、右上隅、左下隅、右下隅の何れかを起点に設定することを特徴とする請求項１または請求項２の何れかに記載の画像形成装置。
【請求項５】
請求項１から請求項４の何れかに記載の少なくとも１の画像形成装置と、
通信手段を介して前記画像形成装置と接続される少なくとも１の情報処理装置と、
から構成されることを特徴とする画像形成システム。
【請求項６】
原稿のサイズを取得する取得過程と、
前記原稿の画像情報を読み取る読取過程と、
該読取手段で読み取った画像情報を格納する格納過程と、
前記読取過程で読み取られた原稿の画像情報を形成する記録媒体のサイズを指定する指定過程と、
前記取得過程で取得した原稿のサイズと、前記指定過程で指定された記録媒体のサイズとを比較する比較過程と、
該比較過程の比較結果に応じて、格納されている前記画像情報を加工する加工過程と、
該加工過程で加工された画像情報に基づいて画像を前記記録媒体上に形成する形成過程と、
を演算手段に実行させることを特徴とする処理プログラム。
【発明の詳細な説明】
【技術分野】
【０００１】
本発明は、画像形成装置、画像形成システムおよび処理プログラムに関するものである。
【背景技術】
【０００２】
従来から複写機等の画像形成装置においては、マニュアルモードや、操作者の操作性を向上させるために所定の設定を自動化した自動倍率選択モード、自動用紙サイズ選択モードや所謂オートモード等の設定が可能となっている。
【０００３】
ここで、マニュアルモードとは、原稿の読み取りや媒体への出力を行う際に、その都度、任意に操作者が記録媒体のサイズ、向き、種類等を選択することができるモードである。
【０００４】
また、オードモードとは、読み取られる原稿のサイズや向きに応じて、予め設定された記録媒体のサイズ、向き、種類等が選択されるモードである。
【０００５】
特に、前記オートモードは、各種製造業における出図業務において活用され、定形あるいは非定形の図面の複写作業等の生産性の向上が図られている。
【０００６】
ここで、図枠の外あるいは用紙の端部付近に文字情報等が記録されている図面においては、それらの文字情報が欠落しないように定形の図面原稿よりも若干大きな用紙に図面の全体像を印刷して保存する場合がある。
【０００７】
一方、出図する際には、用紙の大きさを揃えるために、定形用紙に印刷して出力する必要がある。
【０００８】
このため、定形よりもサイズが少し大きな原稿（非定型原稿）から、定型分のイメージを切り出して定型サイズの用紙に印刷を行う必要があった。
【０００９】
ところで、非定型の原稿から定形原稿を取り込む技術は種々提案されている。
【００１０】
例えば、特開２００７−２０１７５２号公報には、非定型原稿に対して、予め登録した定形サイズと比較し一番近似した定型サイズとみなして原稿を読み込むという技術が開示されている。
【先行技術文献】
【特許文献】
【００１１】
【特許文献１】特開２００７−２０１７５２号公報
【発明の概要】
【発明が解決しようとする課題】
【００１２】
本発明は、原稿サイズと出力サイズが異なる場合において、操作者の利便性を向上させることのできる画像形成装置、画像形成システムおよび処理プログラムを提供することを目的とする。
【課題を解決するための手段】
【００１３】
前記課題を解決するため、請求項１の発明に係る画像形成装置は、原稿のサイズを取得する取得手段と、前記原稿の画像情報を読み取る読取手段と、該読取手段で読み取った画像情報を格納する格納手段と、前記読取手段により読み取られた原稿の画像情報を形成する記録媒体のサイズを指定する指定手段と、前記取得手段で取得した原稿のサイズと、前記指定手段で指定された記録媒体のサイズとを比較する比較手段と、該比較手段の比較結果に応じて、前記格納手段に格納されている前記画像情報を加工する加工手段と、該加工手段で加工された画像情報に基づいて画像を前記指定手段で指定されたサイズの記録媒体上に形成する形成手段とを備え、前記加工手段は、前記比較手段の比較結果に応じて、前記格納手段に格納されている前記画像情報から切り出す領域の起点を設定する設定手段と、該設定手段で設定された起点から前記指定手段で指定されたサイズの記録媒体に対して、前記画像情報の当初の倍率を維持した状態で画像形成を行う領域分を切り出す切出手段とから構成されることを特徴とする。
【００１４】
請求項２の発明に係る画像形成装置は、請求項１に記載の発明について、前記比較手段は、「取得された原稿のサイズ＞指定された記録媒体のサイズ」か否かを比較し、前記設定手段は、前記比較手段で「取得された原稿のサイズ＞指定された記録媒体のサイズ」であると判定された場合には、前記起点を次式、（原稿長−記録媒体長）×１／２、（原稿幅−記録媒体幅）×１／２で算出することを特徴とする。
【００１５】
請求項３の発明に係る画像形成装置は、請求項１または請求項２の何れかに記載の発明について、前記指定手段は、予め設定される記録媒体に関する複数系列のサイズ群から選択してサイズを指定するように構成され、前記比較手段は、取得された原稿のサイズまたは指定された記録媒体のサイズが、指定されたサイズまたは前記複数系列に含まれる他の系列の同サイズと一致するか否かを比較判定し、前記加工手段は、前記比較手段の比較結果に応じて、前記格納手段に格納されている前記画像情報を加工することを特徴とする。
【００１６】
請求項４の発明に係る画像形成装置は、請求項１または請求項２の何れかに記載の発明について、前記設定手段は、前記比較手段の比較結果に応じて、予め設定される左上隅、右上隅、左下隅、右下隅の何れかを起点に設定することを特徴とする。
【００１７】
請求項５の発明に係る画像形成システムは、請求項１から請求項４の何れかに記載の少なくとも１の画像形成装置と、通信手段を介して前記画像形成装置と接続される少なくとも１の情報処理装置とから構成されることを特徴とする。
【００１８】
請求項６の発明に係る処理プログラムは、原稿のサイズを取得する取得過程と、前記原稿の画像情報を読み取る読取過程と、該読取手段で読み取った画像情報を格納する格納過程と、前記読取過程で読み取られた原稿の画像情報を形成する記録媒体のサイズを指定する指定過程と、前記取得過程で取得した原稿のサイズと、前記指定過程で指定された記録媒体のサイズとを比較する比較過程と、該比較過程の比較結果に応じて、格納されている前記画像情報を加工する加工過程と、該加工過程で加工された画像情報に基づいて画像を前記記録媒体上に形成する形成過程とを演算手段に実行させることを特徴とする。
【発明の効果】
【００１９】
本発明によれば以下の効果を奏することができる。
【００２０】
すなわち、請求項１に記載の発明によれば、原稿サイズと出力サイズの関係から切出領域の起点を決めることができ、容易に所望の画像形成を行うことのできる画像形成装置を提供することができる。
【００２１】
請求項２に記載の発明によれば、本構成を有していない場合に比較して、簡易な処理で起点を設定して、操作者の利便性を向上させることのできる画像形成装置を提供することができる。
【００２２】
請求項３に記載の発明によれば、本構成を有していない場合に比較して、サイズに応じて画像情報に的確な加工を行って、操作者の利便性を向上させることのできる画像形成装置を提供することができる。
【００２３】
請求項４に記載の発明によれば、本構成を有していない場合に比較して、簡易な手順で起点を設定して、操作者の利便性を向上させることのできる画像形成装置を提供することができる。
【００２４】
請求項５に記載の発明によれば、本構成を有していない場合に比較して、操作者の利便性を向上させることのできる画像形成システムを提供することができる。
【００２５】
請求項６に記載の発明によれば、本構成を有していない場合に比較して、操作者の利便性を向上させることのできる処理プログラムを提供することができる。
【図面の簡単な説明】
【００２６】
【図１】実施の形態に係る画像形成装置Ｍ１の概略構成を示す構成図である。
【図２】実施の形態に係る画像形成装置Ｍ１が有する原稿読取部の断面図である。
【図３】実施の形態に係る画像形成装置Ｍ１の機能構成を示す機能ブロック図である。
【図４】ユーザインターフェイスにおけるモードの表示例を示す説明図である。
【図５】ユーザインターフェイスにおけるモードの表示例を示す説明図である。
【図６】ユーザインターフェイスにおけるモードの表示例を示す説明図である。
【図７】原稿の読み取り状態の例を示す説明図である。
【図８】原稿サイズと用紙サイズとの関係の例を示す説明図である。
【図９】原稿サイズと用紙サイズとの関係の例を示す説明図である。
【図１０】原稿サイズと用紙サイズとの関係の例を示す説明図である。
【図１１】ユーザインターフェイスにおけるモードの表示例を示す説明図である。
【図１２】用紙サイズの表示例を示す説明図である。
【図１３】画像形成処理の処理手順の例を示すフローチャートである。
【発明を実施するための形態】
【００２７】
以下、本発明の一例としての実施の形態を図面に基づいて詳細に説明する。ここで、添付図面において同一の部材には同一の符号を付しており、また、重複した説明は省略されている。なお、ここでの説明は本発明が実施される最良の形態であることから、本発明は当該形態に限定されるものではない。
【００２８】
図１から図１３を参照して、本発明についての実施の形態に係る画像形成装置Ｍ１について説明する。
【００２９】
図１に示す本発明の実施形態に係る画像形成装置Ｍ１は、画像形成部２０と、制御ユニット２６と、媒体供給装置１００と、表示操作ユニット２００と、原稿読取ユニット４００とを有する。
【００３０】
表示操作ユニット２００は、表示操作ユニット本体２０２を有し、各種表示を行うと共に各種操作を行うユーザインターフェイスとして用いられ液晶式タッチパネル２０４等が搭載されている。
【００３１】
なお、タッチパネルとは、指や専用のペンで画面に触れることで入力操作が可能な装置であり、指等が触れた位置を検知して画面上の位置を指定し、操作対象に指示を与えることができるポインティングデバイスの一種である。
【００３２】
タッチパネル２０４からは、例えば、原稿読取ユニット４００で原稿を読み取る際のカラーモード、出力ファイル形式、読み取り解像度、読み取り倍率等を入力して設定するようになっている。
【００３３】
媒体供給装置１００は、画像が形成される例えば普通紙等の記録媒体を画像形成部２０に供給する装置である。
【００３４】
本実施の形態では、例えば、１台のロール媒体供給装置１１０と、２台のカット媒体供給装置１４０とを有し、ロール媒体供給装置１１０の下方に、２つのカット媒体供給装置１４０が位置するように重ねられて配置されている。
【００３５】
ここで、ロール媒体とは、例えばロール紙等のロール状に巻かれた画像形成がなされる記録媒体をいう。
【００３６】
また、カット媒体とは、例えばＡ４サイズ、Ｂ５サイズ等のサイズに１枚ずつ切断された記録用紙等の記録媒体をいう。
【００３７】
ロール媒体供給装置１１０は、ロール媒体供給装置本体１１２を有し、ロール媒体供給装置本体１１２内に、ロール媒体１１４が回転することができ、先端部を引き出すように装着されている。
【００３８】
また、ロール媒体供給装置本体１１２内には、ロール媒体が搬送される通路であるロール媒体搬送路１１６が形成されていて、ロール媒体搬送路１１６に沿って、ロール媒体の搬送方向上流側から順に、引き出しロール１１８と、搬送ロール１２０と、切断装置１２２とが装着されている。
【００３９】
引き出しロール１１８は、巻かれた状態にあるロール媒体の先端部を引き出し、該先端部をロール媒体搬送方向下流側に向けて引き出すために用いられている。
【００４０】
搬送ロール１２０は、引き出しロール１１８によって引き出された用紙を、さらに下流側、すなわち画像形成部２０側に搬送するために用いられる。
【００４１】
切断装置１２２は、必要な長さ分が画像形成部２０に供給されたロール媒体１１４の後端側を切断するために用いられる。
【００４２】
また、ロール媒体供給装置本体１１２内には、２台のカット媒体供給装置１４０、１４０からそれぞれ供給されるカット媒体が、画像形成部２０側に搬送される際に通過する通過搬送路１２４が形成され、通過搬送路１２４に沿って搬送ロール１２８が装着されている。
【００４３】
搬送ロール１２８は、２つのカット媒体供給装置１４０、１４０から供給されたカット媒体を、画像形成部２０側に搬送するために用いられる。
【００４４】
カット媒体供給装置１４０、１４０は、それぞれがカット媒体供給装置本体１４２を有し、カット媒体供給装置本体１４２内に、カット媒体を積層するように収納するカット媒体収納部１４４が、例えばカット媒体供給装置本体１４２に対して着脱するように装着されている。
【００４５】
また、カット媒体供給装置本体１４２内には、カット媒体収納部１４４の最上位に位置するカット媒体を、カット媒体搬送方向における下流側に送り出す送り出しロール１４６と、送り出しロール１４６によって引き出されたカット媒体をさらに上流側に向けて搬送する搬送ロール１４８と、カット媒体を捌いてカット媒体の重送を防止する捌きロール１５２とが装着されている。
【００４６】
また、搬送ロール１４８、及び捌きロール１５０の下流側に搬送ロール１５２が装着されている。
【００４７】
画像形成部２０は、原稿読取ユニット４００で取得された原稿画像に基づく画像形成を行う。
【００４８】
画像形成部２０は、例えば電子写真方式のものが用いられ、画像形成部本体２２を有し、画像形成部本体２２内には、媒体供給装置１００から供給された媒体が通過する媒体搬送路５０が形成されている。
【００４９】
また、画像形成部本体２２内には、例えば感光体ドラムが用いられる像保持体３０と、像保持体３０を一様に帯電する帯電装置３２と、帯電装置３２により一様に帯電された像保持体３０に潜像を形成する潜像形成装置３４と、潜像形成装置３４により形成された像保持体３０上の潜像をトナーで可視化する現像装置３６と、現像装置３６により形成されたトナー像を媒体に転写する転写装置４０と、像保持体３０に残ったトナーをクリーニングするクリーニング装置４２とが装着されている。
【００５０】
また、画像形成部本体２２内には、媒体搬送路５０に沿って、媒体搬送方向上流側から順に、搬送ロール５２と、レジストロール５４と、定着装置５６と、搬送ロール５８と、排出ロール６０とが装着されている。
【００５１】
搬送ロール５２は、記録媒体をレジストロール５４に向けて搬送する。
【００５２】
レジストロール５４は、停止した状態から所定のタイミングで回転を開始することで、像保持体３０にトナー像が形成されるタイミングと合致するように、記録媒体を像保持体３０と転写装置４０との接触部に送り出す。
【００５３】
定着装置５６は、転写装置４０によって媒体に転写されたトナー像を、圧力と熱とで記録媒体に定着する。排出ロール６０は、トナー像が定着された媒体を、画像形成部本体２２外に排出するために用いられる。
【００５４】
制御ユニット２６は、例えば画像形成部本体２２内に装着されている。制御ユニット２６は、例えばマイクロコンピュータ等で構成され、画像形成装置Ｍ１の全般的な動作、処理を制御する。
【００５５】
図２には、原稿読取ユニット４００が示されている。
【００５６】
原稿読取ユニット４００は、単色又はカラーの画像を読み取る原稿読取ユニット本体４０２を有し、原稿読取ユニット本体４０２内に、原稿が通過する原稿搬送路４０４が形成されている。
【００５７】
また、原稿読取ユニット本体４０２内には、原稿の搬送に用いられる原稿搬送部４０８が装着されている。
【００５８】
原稿搬送部４０８は、原稿の搬送方向における上流側に設けられた搬送ロール４１０と、同方向における下流側に設けられた搬送ロール４１２とを有する。
【００５９】
また、原稿読取ユニット本体４０２内には、原稿を読み取り、原稿の画像を取得する原稿画像読取部４２４（読取手段の一例）が装着されている。
【００６０】
原稿画像読取部４２４は、光透過性部材４１４と、光照射装置４１６と、光電変換部材４１８とを有する。
【００６１】
光透過性部材４１４は、例えばガラスや樹脂等の光を透過する材料が用いられ、原稿搬送路４０４の下側に配置されている。
【００６２】
光照射装置４１６は、例えばキセノンランプが用いられ、光透過性部材４１４を通過するようにして、原稿搬送路４０４を搬送中の原稿に光を照射する。
【００６３】
光電変換部材４１８は、光照射装置４１６から照射され、原稿の下向きの面で反射され、図示を省略する光学系によって集められた光が入射する位置に配置されていて、入射した光を電気信号に変換する。なお、光電変換部材４１８には、例えばＣＣＤアレイが用いられる。
【００６４】
原稿読取ユニット本体４０２の外側には、搬送ロール４１２によって原稿搬送部本体の外に排出された部分を装置前側に案内する案内部材４２０が装着されている。また、原稿読取ユニット本体４０２内には、マイクロコンピュータ等で構成され、主として原稿読取ユニット４００の制御に用いられる制御ユニット５００が装着されている。
【００６５】
次に、図３の機能ブロック図を参照して、本実施の形態に係る画像形成装置Ｍ１の機能構成について説明する。
【００６６】
本実施の形態に係る画像形成装置Ｍ１は、原稿のサイズを取得する原稿サイズ取得センサ５０１（取得手段の一例）と、原稿の画像情報を読み取る前出の原稿画像読取部４２４（読取手段の一例）と、原稿画像読取部４２４で読み取った画像情報を格納する不揮発性メモリやハードディスク装置等で構成される画像記憶部５０２（格納手段の一例）と、原稿画像読取部４２４により読み取られた原稿の画像情報を形成する記録媒体のサイズを指定する前記液晶式タッチパネル２０４で構成される用紙サイズ指定部５０３と、原稿サイズ取得センサ５０１で取得した原稿のサイズと、用紙サイズ指定部５０３で指定された記録媒体のサイズとを比較するサイズ比較部５０４（比較手段の一例）と、サイズ比較部５０４の比較結果に応じて、画像記憶部５０２に格納されている画像情報を加工する画像加工部５０５（加工手段の一例）と、画像加工部５０５で加工された画像情報に基づいて画像を用紙サイズ指定部５０３で指定されたサイズの記録媒体上に形成する前出の画像形成部２０（形成手段の一例）とを備えている。
【００６７】
なお、原稿サイズ取得センサ５０１は、光学式のセンサ等を別途設けるようにしてもよいし、原稿画像読取部４２４が備えるＣＣＤアレイ等を用いてサイズを検出するようにしてもよい。
【００６８】
また、画像加工部５０５は、サイズ比較部５０４の比較結果に応じて、画像記憶部５０２に格納されている画像情報から切り出す領域の起点を設定する起点設定部５０６（設定手段の一例）と、起点設定部５０６で設定された起点から用紙サイズ指定部５０３で指定されたサイズの記録媒体に対して、画像情報の当初の倍率（例えば、等倍（１倍）等）を維持した状態で画像形成を行う領域分のイメージデータを切り出す画像切出部５０７（切出手段の一例）とから構成される。
【００６９】
ここで、図４から図１１を参照して、表示操作ユニット２００が備える液晶式タッチパネル２０４から設定される各種モードおよびその課題について述べる。
【００７０】
まず、図４の（ａ）に示す自動用紙選択モードは、読み込んだ原稿を等倍で出力できる用紙を自動的に選択する機能を提供している。
【００７１】
また、図４の（ｂ）に示す自動倍率選択モードは、読み込んだ原稿を指定した用紙サイズに収まるよう自動的に縮倍率を選択する機能を提供している。
【００７２】
また、図５の（ａ）に示すオートモードは、原稿サイズ（定形）に対する出力サイズ（定形）の関係（パターン）を予め登録しておき、読み込んだ原稿サイズから出力サイズと縮倍率を決定する機能を提供している。
【００７３】
また、例えば図５の（ｂ）に示すように、各種の用紙系列（例えば、ＪＩＳ−Ａ、Ｂ、ｉｎｃｈ、特Ａなど）毎に、原稿と用紙サイズの関係をマトリックスで表示する方式と、全ての原稿サイズに対する用紙サイズを予め登録しておく方式の二種類のオートモードを設ける場合もある
【００７４】
また、図６は、縮倍率と出力サイズをそれぞれ手動で選択するマニュアモードの設定例を示す。
【００７５】
ここで、製造業等における出図業務などにおいて、図面の枠に近傍に文字列などが記述されている図面を出力すると、画像形成装置（プリンタ等）性能によっては、文字が欠けて出力される場合がある（図７参照）。
【００７６】
そこで、正規図面として保管する場合には、定形サイズよりも少し大きいサイズに出力して、枠の近傍に記述された文字列が正しく残るようにしている。
【００７７】
例えば、Ａ０サイズの原稿を特Ａ０サイズの原稿に出力して保管する方式などが知られている（図８参照）。
【００７８】
ところで、出図を行う際には、用紙サイズを揃えるために、定形サイズの用紙へ印刷されるのが一般的である（図８参照）。
【００７９】
しかしながら、上述のオートモードや自動用紙選択モード、自動倍率選択モードでは、これらの作業を行えなかった。
【００８０】
従って、上述のマニュアモードによって、上記の作業を行うことになるが、次のような問題が生じる。
【００８１】
１）原稿のサイズと用紙サイズを測定してイメージを切り出す起点を操作者等が計算して求めなければならない。
【００８２】
２）出図作業に用いるオートモードから一旦マニュアモードに切り替えるため出図作業が中断されてしまう。
【００８３】
３）自動用紙選択モードでは、特Ａ０用紙の補給が促されてしまう場合がある。
【００８４】
４）自動倍率選択モードおよびオートモードでは、特Ａ０からＡ０へ縮小されてしまう場合がある（図９参照）。
【００８５】
５）オートモードでは、左上からＡ０分だけ出力されてしまう場合がある（図１０参照）。
【００８６】
一方、前述のマニュアルモードでは、倍率１００％と、出力用紙サイズを選択し、読み込む原稿サイズと用紙サイズの縦横サイズを調べ、その差から「読み取り開始位置」（起点）を調節することで、所望の出力が得られるが、手間がかかり作業効率が低いという問題があった（図１１の（ａ）、（ｂ）参照）。
【００８７】
即ち、上記の方法では、原稿サイズと用紙サイズの大きさを測り、読み取り開始位置（切り出しの起点）を計算で求めて設定する作業を操作者等が行わなければならなかった。
【００８８】
また、前述のオートモードを使って行っている出図作業を一旦中断して、上記作業を行わなければならず、作業効率が低下してしまう。
【００８９】
次に、上述のような問題点や課題を解決した本実施の形態に係る画像形成装置Ｍ１の動作例について説明する。
【００９０】
図３に示すサイズ比較部５０４は、「取得された原稿のサイズ＞指定された記録媒体のサイズ」か否かを比較し、起点設定部５０６、サイズ比較部５０４で「取得された原稿のサイズ＞指定された記録媒体のサイズ」であると判定された場合には、前記起点を次式、
【００９１】
（原稿長−記録媒体長）×１／２
【００９２】
（原稿幅−記録媒体幅）×１／２
【００９３】
により算出するようにしてもよい。
【００９４】
例えば、原稿サイズ取得センサ５０１で取得された原稿サイズが特Ａ０（８８０ｍｍ×１２３０ｍｍ）であり、用紙サイズ指定部５０３で指定された記録媒体（印刷用紙）のサイズがＡ０（８４１ｍｍ×１１８９ｍｍ）である場合には、各値が上記式に代入されて、（８８０−８４１）／２＝１９．５ｍｍ
（１２３０−１１８９）／２＝２０．５ｍｍ  と、起点（イメージを切り出す開始位置）が自動的に算出される。
【００９５】
これにより、簡易な処理で起点を設定して、操作者の利便性が向上される。また、前出の図８に示すように、所望の印刷結果を容易に得られる。
【００９６】
また、図３に示す用紙サイズ指定部５０３は、予め設定される記録媒体に関する複数系列のサイズ群（下記の表１参照）から所望のサイズを選択するように成され、サイズ比較部５０４は、取得された原稿のサイズまたは指定された記録媒体のサイズが、選択されたサイズまたは前記複数系列に含まれる他の系列の同サイズと一致するか否かを比較判定し、画像加工部５０５は、サイズ比較部５０４の比較結果に応じて、画像記憶部５０２に格納されている画像情報を加工するようにしてもよい。
【００９７】
図１２に、表１におけるＡ系列の用紙サイズ群を液晶式タッチパネル２０４にマトリックス状に表示した状態を示す。この表示状態から所望の用紙サイズを選択することにより、上記の処理が自動的に行われる。
【００９８】
これにより、サイズに応じて画像情報に的確な加工を行って、操作者の利便性が向上される。
【表１】
2012010120.tif 000003
【００９９】
さらに、起点設定部５０６は、サイズ比較部５０４の比較結果に応じて、予め設定される左上隅、右上隅、左下隅、右下隅の何れかを起点に設定するようにしてもよい。
【０１００】
これにより、簡易な手順で起点を設定して、操作者の利便性が向上される。
【０１０１】
次に、図１３のフローチャートを参照して、本実施の形態に係る画像形成装置Ｍ１で実行される画像形成処理の処理手順の一例について説明する。
【０１０２】
この処理が開始されると、まず、ステップＳ１０で用紙サイズ指定部５０３から用紙サイズ（出力サイズ）の選択を行ってステップＳ１１に移行する。
【０１０３】
ステップＳ１１では、原稿画像読取部４２４で原稿の画像を読み込むと共に、原稿サイズ取得センサ５０１によって原稿サイズを取得する。
【０１０４】
次いで、ステップＳ１２では、切り出しモードになっているか否かを判定し、「Ｙｅｓ」の場合にはステップＳ１３に移行し、「Ｎｏ」の場合にはステップＳ２０に移行する。
【０１０５】
ステップＳ１３では、原稿と印刷用紙のサイズは、系列が異なる同じサイズか否かが判定され、「Ｙｅｓ」の場合にはステップＳ１４に移行し、「Ｎｏ」の場合にはステップＳ２０に移行する。
【０１０６】
ステップＳ１４では、原稿サイズ＞用紙サイズか否かが判定され、「Ｙｅｓ」の場合にはステップＳ１５に移行し、「Ｎｏ」の場合にはステップＳ１７に移行する。
【０１０７】
ステップＳ１５では、原稿サイズと用紙サイズとの関係から切り出し範囲を決定してステップＳ１６に移行する。
【０１０８】
ステップＳ１６では、用紙サイズ分のイメージ（画像情報）を切り出して印刷出力して処理を終了する。
【０１０９】
一方、ステップＳ１７では、原稿サイズ＜用紙サイズか否かが判定され、「Ｙｅｓ」の場合にはステップＳ１８に移行し、原稿サイズと用紙サイズとの関係から用紙にイメージ（画像情報）を印刷する位置を決定してステップＳ１９に移行する。
【０１１０】
ステップＳ１９では、用紙の中央部分に原稿サイズ分のイメージを印刷出力して処理を終了する。
【０１１１】
また、ステップＳ２０では、通常のオートモードの処理を実行して処理を終了する。
【０１１２】
これにより、比較手段による原稿のサイズと記録媒体のサイズとの比較結果に応じて画像情報を加工して、操作者の利便性が向上される。
【０１１３】
以上本発明者によってなされた発明を実施の形態に基づき具体的に説明したが、本明細書で開示された実施の形態はすべての点で例示であって開示された技術に限定されるものではないと考えるべきである。すなわち、本発明の技術的な範囲は、前記の実施の形態における説明に基づいて制限的に解釈されるものでなく、あくまでも特許請求の範囲の記載に従って解釈すべきであり、特許請求の範囲の記載技術と均等な技術および特許請求の範囲内でのすべての変更が含まれる。
【０１１４】
例えば、サイズ比較部５０４において、「指定された記録媒体より一段階大きなサイズ＞原稿のサイズ＞指定された記録媒体のサイズ」か否かを比較し、その比較結果に基づいて画像情報を加工するようにしてもよい。
【０１１５】
また、プログラムを用いる場合には、ネットワークを介して提供し、或いはＣＤ−ＲＯＭ等の記録媒体に格納して提供することが可能である。
【０１１６】
即ち、画像処理プログラムを含む所定のプログラムを記録媒体としてのハードディスク等の記憶装置に記録する場合に限らず、当該所定のプログラムを次のようにして提供することも可能である。
【０１１７】
例えば、所定のプログラムをＲＯＭに格納しておき、ＣＰＵが、この所定のプログラムをこのＲＯＭから主記憶装置へローディングして実行するようにしてもよい。
【０１１８】
また、上記所定のプログラムを、ＤＶＤ−ＲＯＭ、ＣＤ−ＲＯＭ、ＭＯ（光磁気ディスク）、フレキシブルディスク、などのコンピュータ読み取り可能な記録媒体に格納して配布するようにしてもよい。
【０１１９】
さらには、画像形成装置等を通信回線（例えばインターネット）を介してサーバ装置あるいはホストコンピュータと接続するようにし、サーバ装置あるいはホストコンピュータから上記所定のプログラムをダウンロードした後、この所定のプログラムを実行するようにしてもよい。この場合、この所定のプログラムのダウンロード先としては、ＲＡＭ等のメモリやハードディスクなどの記憶装置（記録媒体）が挙げられる。
【産業上の利用可能性】
【０１２０】
本発明による画像形成装置、画像形成システムおよび処理プログラムは、複写機や複合機等に適用することができる。
【符号の説明】
【０１２１】
Ｍ１  画像形成装置
２０  画像形成部
２２  画像形成部本体
２６  制御ユニット
３０  像保持体
３２  帯電装置
３４  潜像形成装置
３６  現像装置
４０  転写装置
４２  クリーニング装置
５０  媒体搬送路
５２  搬送ロール
５４  レジストロール
５６  定着装置
５８  搬送ロール
６０  排出ロール
１００  媒体供給装置
１１０  ロール媒体供給装置
１１２  ロール媒体供給装置本体
１１４  ロール媒体
１１６  ロール媒体搬送路
１１８  ロール
１２０  搬送ロール
１２２  切断装置
１２４  通過搬送路
１２８  搬送ロール
１４０  カット媒体供給装置
１４２  カット媒体供給装置本体
１４４  カット媒体収納部
１４６  ロール
１４８  搬送ロール
１５０  ロール
１５２  搬送ロール
２００  表示操作ユニット
２０２  表示操作ユニット本体
２０４  タッチパネル
４００  原稿読取ユニット
４０２  原稿読取ユニット本体
４０４  原稿搬送路
４０８  原稿搬送部
４１０  搬送ロール
４１２  搬送ロール
４１４  光透過性部材
４１６  光照射装置
４１８  光電変換部材
４２０  案内部材
４２４  原稿画像読取部
５００  制御ユニット
５０１  原稿サイズ取得センサ
５０２  画像記憶部
５０３  用紙サイズ指定部
５０４  サイズ比較部
５０５  画像加工部
５０６  起点設定部
５０７  画像切出部
【図１】
2012010120.tif 000004
【図２】
2012010120.tif 000005
【図３】
2012010120.tif 000006
【図４】
2012010120.tif 000007
【図５】
2012010120.tif 000008
【図６】
2012010120.tif 000009
【図７】
2012010120.tif 000010
【図８】
2012010120.tif 000011
【図９】
2012010120.tif 000012
【図１０】
2012010120.tif 000013
【図１１】
2012010120.tif 000014
【図１２】
2012010120.tif 000015
【図１３】
2012010120.tif 000016